(57)【要約】【課題】複数の投影装置と光源装置とを有するプロジェクタシステムにおいて、光源装置が投影装置の各々に供給する光度エネルギーを、投影装置の各々が形成する投影像のサイズに応じて適切に調整する。【解決手段】複数の投影装置と、該投影装置の各々に光度エネルギーを供給する光源装置と、を有するプロジェクタシステムであって、前記投影装置の各々は、供給された前記光度エネルギーを用いて、画像データを投影し、投影面に投影像を形成する投影部と、前記投影像のサイズを算出する算出部と、算出された前記投影像のサイズを、前記光源装置に通知する通知部と、を有し、前記光源装置は、前記投影像のサイズを前記投影装置の各々から受信する受信部と、受信した前記投影像のサイズを基に、前記投影装置の各々に分配する前記光度エネルギーを決定する決定部と、決定された前記光度エネルギーが、前記投影装置の各々に供給されるように、前記光度エネルギーの出力を制御する供給制御部と、を有するプロジェクタシステムが提供される。【選択図】図１
2018004766.tif 000002
【特許請求の範囲】
【請求項１】
複数の投影装置と、該投影装置の各々に光度エネルギーを供給する光源装置と、を有するプロジェクタシステムであって、
前記投影装置の各々は、
供給された前記光度エネルギーを用いて、画像データを投影し、投影面に投影像を形成する投影部と、
前記投影像のサイズを算出する算出部と、
算出された前記投影像のサイズを、前記光源装置に通知する通知部と、を有し、
前記光源装置は、
前記投影像のサイズを前記投影装置の各々から受信する受信部と、
受信した前記投影像のサイズを基に、前記投影装置の各々に分配する前記光度エネルギーを決定する決定部と、
決定された前記光度エネルギーが、前記投影装置の各々に供給されるように、前記光度エネルギーの出力を制御する供給制御部と、を有するプロジェクタシステム。
【請求項２】
前記決定部は、前記投影装置の各々に供給することが決定された前記光度エネルギーの合計値を算出し、算出された該合計値が、前記光源装置の供給可能な光度エネルギーの最大値より、所定の値以上小さい場合、前記光源装置が出力する前記光度エネルギーの量を抑制することを決定し、
前記供給制御部は、決定に従って、出力する前記光度エネルギーを抑制するように前記光度エネルギーの出力を制御する、請求項１に記載のプロジェクタシステム。
【請求項３】
前記光源装置は、前記光度エネルギーを出力する複数の光源を有し、
前記所定の値は、一の前記光源が出力する前記光度エネルギーの値であり、
前記供給制御部は、一の前記光源の出力を停止することにより、出力する前記光度エネルギーの量を抑制するように制御する、請求項２に記載のプロジェクタシステム。
【請求項４】
前記決定部は、前記投影装置の各々に供給することが決定された前記光度エネルギーの合計値を算出し、算出された該合計値が、前記光源装置の供給可能な前記光度エネルギーの値を上回る場合、前記投影装置の各々に供給する前記光度エネルギーの量を抑制するように調整し、
前記供給制御部は、調整された前記光度エネルギーを、前記投影装置の各々に供給するように前記光度エネルギーの出力を制御する、請求項１に記載のプロジェクタシステム。
【請求項５】
前記投影装置の各々に優先度が設定されており、
前記決定部は、前記投影装置に設定されている該優先度が低い程、決定された前記光度エネルギーから抑制される割合が大きくなるように、前記投影装置の各々に供給する前記光度エネルギーの量を調整する、請求項４に記載のプロジェクタシステム。
【請求項６】
複数の投影装置に光度エネルギーを供給する光源装置であって、
前記投影装置が画像データを投影することにより投影面に形成された投影像のサイズを、前記投影装置の各々から受信する受信部と、
受信した前記投影像のサイズを基に、前記投影装置の各々に分配する前記光度エネルギーを決定する決定部と、
決定された前記光度エネルギーが、前記投影装置の各々に供給されるように、前記光度エネルギーの出力を制御する供給制御部と、を有する光源装置。
【請求項７】
複数の投影装置に光度エネルギーを供給する光源装置のプログラムであって、
前記投影装置が画像データを投影することにより投影面に形成された投影像のサイズを、前記投影装置の各々から受信するステップと、
受信した前記投影像のサイズを基に、前記投影装置の各々に分配する前記光度エネルギーを決定するステップと、
決定された前記光度エネルギーが、前記投影装置の各々に供給されるように、前記光度エネルギーの出力を制御するステップと、を光源装置に実行させるプログラム。
【発明の詳細な説明】
【技術分野】
【０００１】
本発明は、プロジェクタシステム、光源装置、及びプログラムに関する。
【背景技術】
【０００２】
光源装置と、投影装置と有するプロジェクタシステムが提案されている（例えば、特許文献１）。このプロジェクタシステムでは、光源装置と、投影装置とが別々の装置により実現される。両装置は光ファイバにより接続され、投影装置は、光源装置から光ファイバを介して光度エネルギーの供給を受ける。光源装置と、投影装置とを別の装置で実現する場合、投影装置の設置方向を柔軟に調整できるというメリットがある。例えば、投影装置を上向きに設置したり、下向きに設置したりすることが可能となる。
【発明の概要】
【発明が解決しようとする課題】
【０００３】
従来から提案されているプロジェクタシステムでは、設置方向を柔軟に調整できるメリットがあるものの、複数の投影装置が光源装置に接続された場合において、光源装置から、投影装置の各々に供給される光度エネルギーの量を、投影装置の各々の状況に応じて柔軟に調整することが難しいという課題があった。例えば、投影装置の各々が形成する投影像のサイズに応じて、投影装置の各々に供給する光度エネルギーを適切に調整することが困難であった。
【０００４】
本発明は、上記の課題に鑑みてされたものであって、複数の投影装置と光源装置とを有するプロジェクタシステムにおいて、光源装置が投影装置の各々に供給する光度エネルギーを、投影装置の各々が形成する投影像のサイズに応じて適切に調整することを目的とする。
【課題を解決するための手段】
【０００５】
一つの態様によれば、複数の投影装置と、該投影装置の各々に光度エネルギーを供給する光源装置と、を有するプロジェクタシステムであって、前記投影装置の各々は、供給された前記光度エネルギーを用いて、画像データを投影し、投影面に投影像を形成する投影部と、前記投影像のサイズを算出する算出部と、算出された前記投影像のサイズを、前記光源装置に通知する通知部と、を有し、前記光源装置は、前記投影像のサイズを前記投影装置の各々から受信する受信部と、受信した前記投影像のサイズを基に、前記投影装置の各々に分配する前記光度エネルギーを決定する決定部と、決定された前記光度エネルギーが、前記投影装置の各々に供給されるように、前記光度エネルギーの出力を制御する供給制御部と、を有するプロジェクタシステムが提供される。
【発明の効果】
【０００６】
複数の投影装置と光源装置とを有するプロジェクタシステムにおいて、光源装置が投影装置の各々に供給する光度エネルギーを、投影装置の各々が形成する投影像のサイズに応じて適切に調整することが可能となる。
【図面の簡単な説明】
【０００７】
【図１】実施形態に係るプロジェクタシステムの一例を示す図である。
【図２】実施形態に係る光源装置のハードウエア構成の一例を示す図である。
【図３】実施形態に係る投影装置のハードウエア構成の一例を示す図である。
【図４】実施形態に係るシステム制御装置の機能構成の一例を示す図である。
【図５】実施形態に係る情報記憶部で保持するテーブルの一例を示す図である。
【図６】実施形態に係るコントロール装置の機能構成の一例を示す図である。
【図７】実施形態に係るプロジェクタシステムの構成の一例を示す図である。
【図８】実施形態に係るプロジェクタシステムの構成の一例を示す図である。
【図９】実施形態に係る投影装置の動作手順の一例を示す図である。
【図１０】実施形態に係る光源装置の動作手順の一例を示す図である。
【図１１】実施形態に係る分配装置の一例を示す図である。
【発明を実施するための形態】
【０００８】
＜システム構成＞
図１を用いて、実施形態に係るプロジェクタシステム１について説明する。プロジェクタシステム１は、光源装置１０と、投影装置２０と、端末３０とを有する。光源装置１０と、投影装置２０とは、光ファイバ２で接続されており、光源装置１０は、光ファイバ２を介して、光度エネルギー（光源量  ｌｍ）を投影装置２０に供給する。光源装置１０と投影装置２０とは、ネットワーク３を介して各種信号の送受信を行う。ネットワーク３は、例えば、ＬＡＮ（Ｌｏｃａｌ  Ａｒｅａ  Ｎｅｔｗｏｒｋ）、又は無線ＬＡＮ等により構築される。光源装置１０と投影装置２０とは、ＲＳ２３２Ｃケーブル、又はＵＳＢ（Ｕｎｉｖｅｒｓａｌ  Ｓｅｒｉａｌ  Ｂｕｓ）ケーブル等を用いて接続されてもよい。光源装置１０には、複数の投影装置２０を接続することが可能である。図１の例では、光源装置１０に、２台の投影装置（２０Ａ、２０Ｂ）が接続されている様子を示している。
【０００９】
投影装置２０は、端末３０から画像データの入力を受け付ける。端末３０は、例えば、パーソナルコンピュータ、タブレット端末、スマートフォン、又はデジタルカメラ等である。投影装置２０は、入力された画像データを、光源装置１０から供給された光度エネルギーを用いて、投影し、投影像をスクリーン等の投影面４上に形成する。なお、投影装置２０は、記憶している画像データを投影面４上に投影してもよい。この場合、端末３０は不要である。
【００１０】
投影装置２０は、投影像のサイズを算出する。例えば、投影装置２０は、投影装置２０と投影面４との距離を測定し、測定された距離を基に投影像のサイズを算出する。また、例えば、投影装置２０は、投影像を撮影し、撮影されたデータを基に投影像のサイズを算出する。
【００１１】
投影装置２０は、算出した投影像のサイズを、ネットワーク３を介して、光源装置１０に通知する。通知を受けて、光源装置１０は、投影像のサイズに応じた光度エネルギーを投影装置２０に供給する。光源装置１０に複数の投影装置２０が接続されている場合、光源装置１０は、投影装置２０の各々が投影している投影像のサイズに応じた光度エネルギーを、投影装置２０の各々に分配する。
【００１２】
プロジェクタシステム１は、光源装置１０と、投影装置２０とが物理的に分離し、光ファイバ２等を介して接続されているため、投影装置２０の設置角度を柔軟に調整することが可能となる。光源装置１０を、複数の投影装置２０で共有することが可能であるため、例えば、投影装置２０の各々を別々の会議室に配備し、投影装置２０の各々に、別の場所に配備された光源装置１０から、適切な量の光度エネルギーを供給することが可能となる。また、光源装置１０を複数の投影装置２０が共有できるため、プロジェクタシステム１のシステム構築に係るコストの低減が見込まれる。
【００１３】
＜ハードウエア構成＞
（１）光源装置
図２を用いて、実施形態に係る光源装置１０のハードウエア構成について説明する。光源装置１０は、システム制御装置１１、操作装置１２、ファン１３、光源１４、分配装置１５、及び、光ファイバＩ／Ｆ（Ｉｎｔｅｒｆａｃｅ）１６を有する。
【００１４】
システム制御装置１１は、操作装置１２の指示を受けて、光源装置１０の全体の制御を行う装置である。
【００１５】
操作装置１２は、ユーザによる各種操作を受け付けるボタン等である。操作装置１２が受け付けたユーザ操作は、システム制御装置１１に送られる。
【００１６】
ファン１３は、システム制御装置１１に制御されて回転し、光源１４を冷却する。
【００１７】
光源装置１０は、１以上の光源１４を有し、光源１４の各々は、複数のレーザダイオード（ＬＤ：Ｌａｓｅｒ  Ｄｉｏｄｅ）等であり、システム制御装置１１の制御を受け、分配装置１５に向けて発光する。
【００１８】
分配装置１５は、システム制御装置１１の制御を受け、光ファイバＩ／Ｆ１６の各々に供給する光度エネルギーを分配する。
【００１９】
光源装置１０には複数の光ファイバＩ／Ｆ１６が設けられている。光ファイバＩ／Ｆ１６は、光ファイバ２と接続されており、分配装置１５から受光した光を、光ファイバ２に伝送する。
【００２０】
システム制御装置１１は、ＣＰＵ（Ｃｅｎｔｒａｌ  Ｐｒｏｃｅｓｓｉｎｇ  Ｕｎｉｔ）１１１、ＲＡＭ（Ｒａｎｄｏｍ  Ａｃｃｅｓｓ  Ｍｅｍｏｒｙ）１１２、ＲＯＭ（Ｒｅａｄ  Ｏｎｌｙ  Ｍｅｍｏｒｙ）１１３、及び、ストレージ１１４を有する。
【００２１】
ＣＰＵ１１１は、ＲＯＭ１１３及びストレージ１１４などからプログラムやデータをＲＡＭ１１２上に読み出し、処理を実行することで、光源装置１０全体の制御や光源装置１０の機能を実現する演算装置である。ＲＡＭ１１２は、プログラムやデータを一時保持する揮発性の半導体メモリ（記憶装置）である。ＲＯＭ１１３は、電源を切ってもプログラム、データを保持することができる不揮発性の半導体メモリ（記憶装置）の一例である。ＲＯＭ１１３には、プログラムや各種データが記憶されている。ストレージ１１４は、ＨＤＤ（Ｈａｒｄ  Ｄｉｓｋ  Ｄｒｉｖｅ）等により実現される不揮発性の記憶装置である。
【００２２】
（２）投影装置
図３を用いて、実施形態に係る投影装置２０のハードウエア構成について説明する。投影装置２０は、コントロール装置２１、操作装置２２、外部Ｉ／Ｆ２３、光ファイバＩ／Ｆ２４、画像生成装置２５、投影光学系装置２６、距離計測装置２７、及び、カメラ２８を有する。
【００２３】
コントロール装置２１は、操作装置２２の指示を受けて、投影装置２０の全体の制御を行う装置である。
【００２４】
操作装置２２は、ユーザによる各種操作を受け付けるボタン等である。操作装置２２が受け付けたユーザ操作は、コントロール装置２１に送られる。
【００２５】
外部Ｉ／Ｆ２３は、端末３０と接続する接続端子を有し、接続された端末３０から画像データを取得し、取得した画像データをコントロール装置２１に出力する。
【００２６】
光ファイバＩ／Ｆ２４は、光ファイバ２と接続され、光ファイバ２を介して光度エネルギーの供給を受ける。
【００２７】
画像生成装置２５は、コントロール装置２１の制御を受けて、入力を受けた画像データを基に、投影する画像データを生成する。投影する画像データを生成する際には、光ファイバＩ／Ｆ２４から光度エネルギーの供給を受ける。
【００２８】
投影光学系装置２６は、複数の投射レンズ、ミラー等を有し、画像生成装置２５によって生成される投影する画像データを拡大して投影面４に投影する。
【００２９】
距離計測装置２７は、コントロール装置２１の制御を受けて、投影装置２０と投影面４との距離を測定する。距離計測装置２７は、例えば、距離センサーにより実現される。カメラ２８は、コントロール装置２１の制御を受けて、投影面４上の投影像を撮影する。
【００３０】
なお、投影装置２０は、距離計測装置２７、及びカメラ２８のいずれか一方を有してもよい。
【００３１】
コントロール装置２１は、ＣＰＵ２１１、ＲＡＭ２１２、ＲＯＭ２１３、及び、ストレージ２１４を有する。
【００３２】
ＣＰＵ２１１は、ＲＯＭ２１３及びストレージ２１４などからプログラムやデータをＲＡＭ２１２上に読み出し、処理を実行することで、投影装置２０全体の制御や投影装置２０の機能を実現する演算装置である。ＲＡＭ２１２は、プログラムやデータを一時保持する揮発性の半導体メモリ（記憶装置）である。ＲＯＭ２１３は、電源を切ってもプログラム、データを保持することができる不揮発性の半導体メモリ（記憶装置）の一例である。ＲＯＭ２１３には、プログラムや各種データが記憶されている。ストレージ２１４は、ＨＤＤ等により実現される不揮発性の記憶装置である。
【００３３】
＜機能構成＞
（１）システム制御装置（光源装置）
図４を用いて、光源装置１０のシステム制御装置１１の機能構成について説明する。システム制御装置１１は、送受信部１１０、分配決定部１２０、供給制御部１３０を有する。これらの機能は、ＲＯＭ１１３に格納された１以上のプログラムを読み出して、ＣＰＵ１１１が実行することにより実現される。また、システム制御装置１１は、情報記憶部１４０を有する。情報記憶部１４０は、例えば、ストレージ１１４により実現される。
【００３４】
送受信部１１０は、ネットワーク３を介して、投影装置２０との間で信号を送受信する。送受信部１１０は、投影装置２０の各々から、投影装置２０の識別子、及び投影像のサイズを含む信号等を受信する。
【００３５】
分配決定部１２０は、投影装置２０の各々から受信した投影像のサイズを基に、投影装置２０の各々に分配する光度エネルギーの量を決定する。分配する光度エネルギーの量を決定するときに、分配決定部１２０は、情報記憶部１４０が保持している対応管理テーブル１４１、光度エネルギー管理テーブル１４２、光源容量管理テーブル１４３を参照する。各テーブルで管理される情報については後述する。
【００３６】
供給制御部１３０は、分配決定部１２０により決定された光度エネルギーの量が、投影装置２０の各々に供給されるように、分配装置１５を動作させる。これにより、投影装置２０に供給される光度エネルギーが、適切に調整される。
【００３７】
情報記憶部１４０は、システム制御装置１１の動作に必要な各種情報を記憶する。情報記憶部１４０の記憶している対応管理テーブル１４１の一例を図５の（ａ）に、光度エネルギー管理テーブル１４２の一例を図５の（ｂ）に、光源容量管理テーブル１４３の一例を図５の（ｃ）に示す。
【００３８】
対応管理テーブル１４１は、投影装置２０が接続されている光ファイバＩ／Ｆ１６の識別子と、投影装置２０の識別子とを対応付けて記憶しているテーブルである。投影装置２０に優先度が付与されている場合、対応管理テーブル１４１は、投影装置２０の優先度を記憶してもよい。図５の（ａ）の対応管理テーブル１４１では、光ファイバＩ／Ｆ１６の識別子と、投影装置２０の識別子と、投影装置２０の優先度とが対応付けられて記憶されている。例えば、光ファイバＩ／Ｆ１６の識別子「００１」には、投影装置２０の識別子「＃Ａ」の投影装置２０が接続され、投影装置２０の優先度は「高」であることを示している。
【００３９】
光度エネルギー管理テーブル１４２は、投影像のサイズと、必要な光度エネルギー（ｌｍ）とを対応付けて記憶しているテーブルである。例えば、図５の（ｂ）の光度エネルギー管理テーブル１４２では、投影像のサイズが３０インチの場合、１，０００ｌｍの光度エネルギーが必要であることを示している。なお、情報記憶部１４０は、図５の（ａ）の光度エネルギー管理テーブル１４２と、異なる粒度で、投影像のサイズと対応する光度エネルギーとを管理してもよい。
【００４０】
光源容量管理テーブル１４３は、光源１４の識別子と、光源１４の供給可能な光度エネルギーとを対応付けて記憶している。例えば、図５の（ｃ）の光源容量管理テーブル１４３では、「識別子００１」の光源１４の供給可能な光度エネルギーは「２，５００ｌｍ」であり、光源装置１０で供給可能な光度エネルギーの最大値は「６，０００ｌｍ」であることを示している。
【００４１】
送受信部１１０が、投影装置２０の各々から投影像のサイズを受信すると、分配決定部１２０は、光度エネルギー管理テーブル１４２を参照し、必要となる光度エネルギーを特定する。次に、分配決定部１２０は、対応管理テーブル１４１を参照し、特定された必要となる光度エネルギーを供給する光ファイバＩ／Ｆ１６の識別子を特定する。
【００４２】
光度エネルギー管理テーブル１４２を基に特定された投影装置２０の各々に供給する光度エネルギーの合計値が、光源装置１０で供給可能な光度エネルギーの最大値を上回る場合、分配決定部１２０は、対応管理テーブル１４１の優先度を基に、投影装置２０の各々に供給する光度エネルギーを調整してもよい。この場合、例えば、分配決定部１２０は、優先度が「高」に設定されている投影装置２０には、投影像のサイズに応じて必要となる光度エネルギーを供給し、優先度が「中」及び「低」に設定されている投影装置２０には、必要となる光度エネルギーより少ない光度エネルギーを供給してもよい。この際に、分配決定部１２０は、優先度が低い程、削減される光度エネルギーの割合、又は量が大きくなるように、調整してもよい。或いは、分配決定部１２０は、いずれかの投影装置２０（例えば、最後に接続された投影装置２０）への光度エネルギーの供給を停止することを決定し、送受信部１１０を介してその旨を通知してもよい。
【００４３】
また、光源装置１０の消費電力を抑えるため、投影装置２０の各々に十分な光度エネルギーを供給可能な場合には、分配決定部１２０は、いずれかの光源１４の発光を停止してもよい。
【００４４】
（２）コントロール装置（投影装置）
図６を用いて、投影装置２０のコントロール装置２１の機能構成について説明する。コントロール装置２１は、送受信部２１０、サイズ算出部２２０、投影制御部２３０を有する。これらの機能は、ＲＯＭ２１３に格納された１以上のプログラムを読み出して、ＣＰＵ２１１が実行することにより実現される。また、コントロール装置２１は、情報記憶部２４０を有する。情報記憶部２４０は、例えば、ストレージ２１４により実現される。
【００４５】
送受信部２１０は、ネットワーク３を介して、光源装置１０との間で信号を送受信する。送受信部２１０は、投影装置２０の識別子、及び投影像のサイズを含む信号等を、光源装置１０に送信する。
【００４６】
サイズ算出部２２０は、投影像のサイズを算出し、算出した投影像のサイズを、送受信部２１０を介して、光源装置１０に通知する。例えば、サイズ算出部２２０は、カメラ２８に投影面４上の投影像を撮影させ、撮影データを取得する。サイズ算出部２２０は、撮影データを基に、投影像のサイズを算出する。例えば、サイズ算出部２２０は、距離計測装置２７に投影装置２０と投影面４との距離を計測させ、計測結果を取得する。サイズ算出部２２０は、計測結果と、投影光学系装置２６が画像データを投影するときの画角とから、投影像のサイズを算出する。
【００４７】
投影制御部２３０は、投影装置２０の全体の制御を行う。投影制御部２３０は、画像生成装置２５を制御し、端末３０から入力された画像データを基に、投影面４に投影する画像を生成する。
【００４８】
情報記憶部２４０は、投影装置２０の制御に必要な各種データを記憶する。情報記憶部２４０は、画像データを記憶してもよい。この場合、投影制御部２３０は、情報記憶部２４０から画像データを読み出して、画像生成装置２５に投影面４に投影する画像を生成させる。
【００４９】
＜プロジェクタシステムの構成例＞
図７及び図８を用いて実施形態に係るプロジェクタシステム１の構成例について説明する。なお、光度エネルギー管理テーブル１４２には、図５の（ｂ）の値が設定され、光源容量管理テーブル１４３には、図５の（ｃ）の値が設定されているものとする。
【００５０】
図７では、光源装置１０に、投影装置２０Ａ及び投影装置２０Ｂが接続されている様子を示している。投影装置２０Ａのサイズ算出部２２０は、投影面４Ａ上の投影像のサイズを８０インチと算出し、算出結果を光源装置１０に通知する。同様に、投影装置２０Ｂのサイズ算出部２２０は、投影面４Ｂ上の投影像のサイズを５０インチと算出し、算出結果を光源装置１０に通知する。
【００５１】
光源装置１０の分配決定部１２０は、光度エネルギー管理テーブル１４２を参照し、投影装置２０Ａに２，５００ｌｍの光度エネルギーを供給し、投影装置２０Ｂに２，０００ｌｍの光度エネルギーを供給することを決定する。分配決定部１２０は、対応管理テーブル１４１を参照し、投影装置２０Ａ及び投影装置２０Ｂに対応する光ファイバＩ／Ｆ１６を特定し、特定された光ファイバＩ／Ｆ１６に決定した光度エネルギーが供給されるように分配装置１５を制御する。
【００５２】
図７の例では、光源装置１０で供給可能な光度エネルギー、つまり光源１４の各々（１４Ａ、１４Ｂ、１４Ｃ）の供給可能な光度エネルギーの合計値は６，０００ｌｍである。投影装置２０Ａと投影装置２０Ｂに供給する必要がある光度エネルギーの合計値は４，５００ｌｍであるため、分配決定部１２０は、出力する光度エネルギーの量を抑制する。この場合、光源１４Ａ及び光源１４Ｂが出力する光度エネルギーにより、必要な光度エネルギーを供給できるため、例えば、分配決定部１２０は、光源１４Ｃの出力を停止することを決定する。これにより、光源装置１０の消費電力を抑えることが可能になる。
【００５３】
次に、図８について説明する。図８では、光源装置１０に、投影装置２０Ａ、投影装置２０Ｂ、及び投影装置２０Ｃが接続されている様子を示している。ここでは、投影装置２０Ａには優先度「高」と設定され、投影装置２０Ｂには優先度「中」と設定され、投影装置２０Ｃには優先度「低」と設定されているものとする。
【００５４】
投影装置２０Ａのサイズ算出部２２０は、投影面４Ａ上の投影像のサイズを１００インチと算出し、算出結果を光源装置１０に通知する。投影装置２０Ｂのサイズ算出部２２０は、投影面４Ｂ上の投影像のサイズを８０インチと算出し、算出結果を光源装置１０に通知する。投影装置２０Ｃのサイズ算出部２２０は、投影面４Ｃ上の投影像のサイズを３０インチと算出し、算出結果を光源装置１０に通知する。
【００５５】
光源装置１０の分配決定部１２０は、光度エネルギー管理テーブル１４２を参照し、投影装置２０Ａに３，０００ｌｍの光度エネルギーの供給が必要であり、投影装置２０Ｂに２，５００ｌｍの光度エネルギーの供給が必要であり、投影装置２０Ｃに１，０００ｌｍの光度エネルギーの供給が必要であると判断する。ここで、光源装置１０で供給可能な光度エネルギーは、最大６，０００ｌｍであるため、５００ｌｍの光度エネルギーが不足する。
【００５６】
この場合、分配決定部１２０は、優先度を基に、投影装置２０の各々に供給する光度エネルギーを調整する。例えば、分配決定部１２０は、優先度「高」の投影装置２０Ａに、２，５００ｌｍの光度エネルギーを供給し、優先度「中」の投影装置２０Ｂに、必要な光度エネルギーの９割の１，８００ｌｍの光度エネルギーを供給し、優先度「低」の投影装置２０Ｃに、必要な光度エネルギーの７割の７００ｌｍの光度エネルギーを供給することを決定する。分配決定部１２０は、図７の場合と同様に、投影装置２０に対応する光ファイバＩ／Ｆ１６を特定し、特定した光ファイバＩ／Ｆ１６に決定した光度エネルギーが供給されるように分配装置１５を制御する。供給する光度エネルギーを、投影装置２０の優先度等の属性を基に、調整することにより、投影装置２０の各々に光度エネルギーを適切に分配することが可能となる。
【００５７】
＜動作手順＞
（１）投影装置
図９を用いて、投影装置２０による投影像のサイズ算出に係る動作手順について説明する。
【００５８】
ステップＳ９０１で、投影装置２０のサイズ算出部２２０は、距離計測装置２７に投影装置２０と投影面４との距離を計測させる。
【００５９】
ステップＳ９０２で、サイズ算出部２２０は、測定された距離を基に、投影像のサイズを算出する。例えば、サイズ算出部２２０は、距離と投影光学系装置２６の画角とを基に、投影像のサイズを算出する。
【００６０】
ステップＳ９０３で、サイズ算出部２２０は、算出された投影像のサイズを、送受信部２１０を介して光源装置１０に通知する。
【００６１】
通知された投影像のサイズを基に、光源装置１０は、供給する光度エネルギーを決定する。
【００６２】
（２）光源装置
次に、図１０を用いて、光源装置１０による投影装置２０に供給する光度エネルギーの決定に係る動作手順について説明する。ここで、光源装置１０は、Ｎ台（Ｎは自然数）の投影装置２０に光度エネルギーを供給可能であり、投影装置２０の各々に装置番号１〜Ｎのいずれかが付与されているものとする。また、光源装置１０は、投影装置２０に投影像のサイズを算出させるために所定の量の光度エネルギーを供給しているものとする。
【００６３】
ステップＳ１００１で、分配決定部１２０は、処理対象の投影装置２０の装置番号Ｎを１に設定する。
【００６４】
ステップＳ１００２で、分配決定部１２０は、装置番号Ｎの投影装置２０に対する処理を開始する。
【００６５】
ステップＳ１００３で、分配決定部１２０は、タイマーＴをスタートする。タイマーＴは所定の期間起動される。
【００６６】
ステップＳ１００４で、分配決定部１２０は、タイマーＴの起動中に投影装置２０（Ｎ）から投影像のサイズを受信したか否かを判断する。投影像のサイズを受信した場合（ステップＳ１００４  Ｙｅｓ）、ステップＳ１００５に進む。一方、投影像のサイズを受信しなかった場合（ステップＳ１００４  Ｎｏ）、ステップＳ１００６に進む。
【００６７】
ステップＳ１００５で、分配決定部１２０は、光度エネルギー管理テーブル１４２を参照し、投影装置２０（Ｎ）に、供給する光度エネルギーを決定する。
【００６８】
ステップＳ１００６で、分配決定部１２０は、投影装置２０（Ｎ）への光度エネルギーの供給を停止する。
【００６９】
ステップＳ１００７で、分配決定部１２０は、装置番号Ｎを１増加させる。
【００７０】
ステップＳ１００８で、分配決定部１２０は、装置番号Ｎが光源装置１０に接続可能な最大数を上回るか否かを判断する。装置番号Ｎが光源装置１０に接続可能な最大数を上回る場合、ステップＳ１００９に進む。一方、装置番号Ｎが光源装置１０に接続可能な最大数以下の場合、ステップＳ１００２に戻る。
【００７１】
ステップＳ１００９で、分配決定部１２０は、投影装置２０の各々に供給することを決定した光度エネルギーの合計が、光源装置１０で供給可能な光度エネルギーの最大値（Ｅ＿ＭＡＸ）以下か否かを判断する。Ｅ＿ＭＡＸ以下の場合（ステップＳ１００８  Ｙｅｓ）、ステップＳ１０１０に進む。一方、Ｅ＿ＭＡＸを上回る場合（ステップＳ１００８  Ｎｏ）、ステップＳ１０１１に進む。
【００７２】
ステップＳ１０１０で、供給制御部１３０は、決定された光度エネルギーが、投影装置２０の各々に供給されるように、分配装置１５を制御する。
【００７３】
ステップＳ１０１１で、分配決定部１２０は、投影装置２０の各々に供給する光度エネルギーを調整する。例えば、分配決定部１２０は、対応管理テーブル１４１を参照し、投影装置２０に設定されている優先度を基に、投影装置２０の各々に供給する光度エネルギーを調整する。
【００７４】
ステップＳ１０１２で、供給制御部１３０は、ステップＳ１０１１で調整された光度エネルギーが、投影装置２０の各々に供給されるように、分配装置１５を制御する。
【００７５】
＜分配装置の構成例＞
次に、図１１を用いて、分配装置１５の構成例について説明する。図１１に示すように、分配装置１５は、ライトトンネル１５１、リレーレンズ（１５２Ａ、１５２Ｂ）、ポリゴンミラー１５３、折り返しミラー１５４を有する。
【００７６】
ライトトンネル１５１は、例えば板ガラス等の貼り合わせによって四角筒状に形成されている。ライトトンネル１５１は、光源（１４Ａ、１４Ｂ、１４Ｃ）から照射された光を、内面で多重反射することで輝度分布を均一化して、リレーレンズ（１５２Ａ、１５２Ｂ）に導く。
【００７７】
リレーレンズ（１５２Ａ、１５２Ｂ）は、ライトトンネル１５１から出射された光を集光する。
【００７８】
ポリゴンミラー１５３は、システム制御装置１１の指示を受けて回転する。ポリゴンミラー１５３は、リレーレンズ１５２が出射した光を折り返しミラー１５４に反射させる。
【００７９】
折り返しミラー１５４は、ポリゴンミラー１５３が出射した光を反射し、光ファイバＩ／Ｆ（１６Ａ、１６Ｂ、１６Ｃ）に入射する。
【００８０】
システム制御装置１１は、ポリゴンミラー１５３の回転速度を調整し、分配決定部１２０により決定された光度エネルギーが光ファイバＩ／Ｆ１６の各々に入射するように制御する。
【００８１】
なお、上述した分配装置１５の構成は一例であり、その他の構成で分配装置１５を実現可能なことは勿論である。例えば、光度エネルギーの半分を透過させ、半分を反射させるハーフミラーを用いて光ファイバＩ／Ｆ１６の各々に入射する光度エネルギーを調整してもよい。また、ポリゴンミラー１５３とハーフミラーとを組み合わせて、光ファイバＩ／Ｆ１６の各々に入射する光度エネルギーを調整してもよい。ポリゴンミラー１５３等を用いて光ファイバＩ／Ｆ１６に入射する光度エネルギーを調整する場合、光ファイバＩ／Ｆ１６に光が入射されない期間が存在する。このため、システム制御装置１１は、対応管理テーブル１４１から特定される光度エネルギーより、光ファイバＩ／Ｆ１６に入射される光度エネルギーが、所定の量、大きくなるように分配装置１５を制御する。
【００８２】
［その他］
上述した実施形態では、投影装置２０により投影像のサイズを算出する場合について説明したが、投影装置２０が、投影像のサイズを算出するのに必要な情報（例えば、投影像の撮影データ、距離の計測結果、画角等）を光源装置１０に通知し、光源装置１０で投影像のサイズを算出してもよい。
【００８３】
コントロール装置２１、画像生成装置２５、及び投影光学系装置２６は、投影部の一例である。サイズ算出部２２０は、算出部の一例である。送受信部２１０は、通知部の一例である。送受信部１１０は、受信部の一例である。分配決定部１２０は、決定部の一例である。
【００８４】
上述した実施の形態の機能を実現するソフトウエアのプログラムコードを記録した記憶媒体を、光源装置１０及び投影装置２０に供給してもよい。そして、光源装置１０及び投影装置２０が記憶媒体に格納されたプログラムコードを読み出し実行することによっても、上述の実施形態が、達成されることは言うまでもない。この場合、記憶媒体から読み出されたプログラムコード自体が前述した実施形態の機能を実現することになり、そのプログラムコードを記憶した記憶媒体は、いずれかの実施の形態を構成することになる。ここで、記憶媒体は、記録媒体または非一時的な記憶媒体である。
【００８５】
以上、本発明の好ましい実施形態について説明したが、本発明はこうした実施形態に限定されるものではなく、本発明の要旨を逸脱しない範囲内において種々の変形及び置換を加えることができる。
【符号の説明】
【００８６】
１  プロジェクタシステム
２  光ファイバ
３  ネットワーク
４  投影面
１０  光源装置
１１  システム制御装置
１４  光源
１５  分配装置
２０  投影装置
２１  コントロール装置
２５  画像生成装置
２６  投影光学系装置
２７  距離計測装置
２８  カメラ
３０  端末
１１０  送受信部  （光源装置）
１２０  分配決定部
１３０  供給制御部
１４０  情報記憶部
１４１  対応管理テーブル
１４２  光度エネルギー管理テーブル
１４３  光源容量管理テーブル
２１０  送受信部  （投影装置）
２２０  サイズ算出部
２３０  投影制御部
２４０  情報記憶部
【先行技術文献】
【特許文献】
【００８７】
【特許文献１】特許第５０５８７９８号公報
【図１】
2018004766.tif 000003
【図２】
2018004766.tif 000004
【図３】
2018004766.tif 000005
【図４】
2018004766.tif 000006
【図５】
2018004766.tif 000007
【図６】
2018004766.tif 000008
【図７】
2018004766.tif 000009
【図８】
2018004766.tif 000010
【図９】
2018004766.tif 000011
【図１０】
2018004766.tif 000012
【図１１】
2018004766.tif 000013